(57)【要約】      （修正有）【課題】保水性ブロックの下面側に敷設することで、外部から供給された水をサンドクッション層へ漏水することなく効率よく保水性ブロックに補給し、持続的な吸水型保水性ブロック舗装を構築するために有用な導水シートを提供すること。【解決手段】吸水型保水性ブロック舗装に使用する導水シート７であって、導水層７ｃと吸水層７ｂおよび／または止水層７ａとを有し、導水層７ｃは最上層にあって、その前後および／または左右の端縁が下層の吸水層７ｂまたは止水層７ａよりも内側にあり、外部から供給される水が、吸水層７ｂの体積膨張や止水効果もしくは止水層の作用で、サンドクッション層３や路盤１方向へ漏洩するのを防ぎ、乾燥時においても保水性ブロック４に水を安定して供給し得る機能を備えた保水性ブロック舗装用の導水シート７を開示する。【選択図】図３
2004225311.tif 000002
【特許請求の範囲】
【請求項１】
路盤上に敷き詰めたサンドクッション層の上に導水シートを敷き、その上に保水性ブロックを敷設することにより吸水型保水性ブロック舗装を行う際に使用される導水シートであって、該導水シートは導水層と吸水層および／または止水層とを有し、該導水層は最上層にあって、その前後および／または左右の端縁は、前記吸水層および／または止水層の外周縁よりも内側に位置していることを特徴とする吸水型保水性ブロック舗装用導水シート。
【請求項２】
最上層に位置する前記導水層の前後および／または左右の端縁は、前記吸水層および／または止水層の外周縁よりも内側に位置し、且つ、前記吸水層が吸水して体積膨張した時の表面レベルが、前記導水層の表面レベルよりも上方に位置するものである請求項１に記載の吸水型保水性ブロック舗装用導水シート。
【請求項３】
最上層に位置する前記導水層の前後および／または左右の端縁は、前記吸水層および／または止水層の外周縁よりも少なくとも３ｃｍ以上内側に位置する請求項１または２に記載の吸水型保水性ブロック舗装用導水シート。
【発明の詳細な説明】
【０００１】
【発明の属する技術分野】
本発明は、吸水型保水性ブロック舗装に使用される導水シートの改良に関するものである。
【０００２】
【従来の技術】
従来から実施されている保水性ブロック舗装では、保水性ブロックを使用し、雨水をブロックに保水させる舗装法が採用されている。
【０００３】
この種の保水性ブロック舗装は、歩道や歩車兼用道路において、雨水を一旦ブロック表層に保水し、保水した水が蒸発するときの気化熱を利用して周辺温度の低下を図り、ヒートアイランド現象の緩和を目的とした舗装である。ところが従来の保水性ブロック舗装は、保水性ブロックに保水された水がすぐに蒸発してしまうため、持続性に欠けるという問題がある。
【０００４】
例えば図１は、従来の保水性ブロック舗装構造を例示する概略断面説明図であり、路盤１の上に透水シート２が敷かれ、その上にサンドクッション層３が敷き均らされ、更にその上に保水性ブロック４が敷設されている。こうした構造の保水性ブロック舗装の場合、保水性ブロック４内に存在する隙間の保水量は、例えば夏季晴天時における蒸発水量の約２日分程度しかないため、保水性舗装としての機能はごく短期間のうちに失われる。
【０００５】
また図２は、従来の吸水型保水性ブロック舗装構造を例示するもので、路盤１の上に透水シート２が敷かれ、その上にサンドクッション層３が敷き均らされ、その上に導水用シート５を敷き延べた後、更にその上に保水性ブロック４が敷設されている。従って、雨や散水などにより外部から供給された水は、一旦導水用シート５に受け止められてから保水性ブロック４に補給される。ところが、この種の従来の導水用シート５では、当該導水用シート５の下面、もしくは導水用シート５と保水性ブロック４との隙間からサンドクッション層３方向への漏水ａ，ｂが起こり、供給水がロスされると共に路盤を劣化させる原因になる。
【０００６】
【発明が解決しようとする課題】
上記の様に保水性ブロック舗装は、歩道や歩車兼用道路などで雨水を一旦保水性ブロックに保持し、保持した水が蒸発するときの気化熱を利用して周辺温度を降下させることにより、ヒートアイランド現象を緩和する機能を発揮する。ところが従来の保水性ブロック舗装は、保水性ブロックに保水された水がすぐに蒸発してしまうため、持続性に欠けるという問題がある。
【０００７】
本発明はこの様な従来技術の欠点に鑑みてなされたもので、その目的は、保水性ブロックの下部に吸水・貯水機能層を形成し、散水や雨などによって供給される水を一時的に吸水し、必要時には保水性ブロック方向へ継続的に供給できる様にし、それにより保水性ブロック舗装に期待されるヒートアイランド現象抑制効果をより効果的に発揮せしめ得る様な技術を確立することにあり、より具体的には、こうした保水性ブロック舗装の機能向上に有用な導水シートを提供することにある。
【０００８】
【課題を解決するための手段】
上記課題を解決することのできた本発明に係る吸水型保水性ブロック舗装用導水シートの構成は、路盤上に敷き詰めたサンドクッション層の上に導水シートを敷き、その上に保水性ブロックを敷設することにより吸水型保水性ブロック舗装を行う際に使用される導水シートであって、該導水シートは導水層と吸水層および／または止水層とを有し、該導水層は最上層にあって、その前後および／または左右の端縁は、前記吸水層および／または止水層の外周縁よりも内側に位置しているところに要旨が存在する。
【０００９】
本発明に係る上記導水シートにおいては、最上層に位置する前記導水層の前後および／または左右の端縁を、前記吸水層および／または止水層の外周縁よりも内側に位置させると共に、前記吸水層が吸水して体積膨張した時の表面レベルを、前記導水層の表面レベルよりも上方に位置せしめ、あるいは更に、前記吸水層および／または止水層の外周縁よりも少なくとも３ｃｍ以上内側に位置せしめたものは、保水機能の持続性において一段と優れた効果を発揮するので好ましい。
【００１０】
【発明の実施の形態】
本発明者らは前述した様な従来技術に指摘される問題点の改善を目指し、殊に、長期間に亘って持続的な保水が可能な吸水型保水性ブロック舗装を実現すべく、様々の角度から研究を進めてきた。その結果、上記の様に、保水性ブロック舗装の下面側に配置する導水シートの構造を以下に詳述する如く工夫すれば、保水性ブロック舗装によるヒートアイランド現象抑制効果、とりわけその持続性が著しく改善されることを突き止め、上記本発明に想到したものである。
【００１１】
以下、具体的な実施例を示す図面を参照しつつ、本発明の構成および作用効果をより具体的に説明していくが、本発明はもとより図示例に制限されるものではなく、前・後記の趣旨に適合し得る範囲で適当に変更を加えて実施することも可能であり、それらはいずれも本発明の技術的範囲に包含される。
【００１２】
図３，４は、本発明の導水シート７を用いた吸水型保水性ブロック舗装構造を例示する概略断面説明図であり、図３は施工直後の状態、図４は導水シート７が水で満たされた状態を示している。
【００１３】
本発明の導水シート７が適用される吸水型保水性ブロック舗装とは、路盤１上に敷き詰めたサンドクッション層３の上に導水シート７を敷き、その上に保水性ブロック４を敷設することによって形成されるもので、路盤１とは、舗装されるべき路面を任意の方法で掘削することにより露出せしめた地肌を意味し、必要によっては排水性の向上等を目的としてバラスや砂利などを敷き詰めたものであってもよく、あるいは更に、モルタルなどの地盤強化材を少量混入させることにより表層を強化したものであっても構わない。
【００１４】
該路盤１上に敷き詰められるサンドクッション層３は、その上に敷設される保水性ブロック３に対してクッション機能を発揮し、該保水性ブロック３が不均等に沈下して上面に凹凸ができるのを抑える機能を果たすと共に、雨や散水により上方から供給される水が保水性ブロック４の下方へ流下するのを許す透水層として機能するもので、河川、湖沼の砂や海砂、山砂などが適宜使用できる。その厚さは特に制限的でないが、通常は２〜３ｃｍ程度の範囲から選択される。
【００１５】
保水性ブロック４の素材や形状、構造、サイズなどにも一切制限がなく、通常のコンクリートブロックや煉瓦など、要は適度の強度を有すると共に吸水・保水性を発揮させるため、多孔質構造を有するものであれば全て使用可能であり、場合によっては、素材や色、形状などの異なる２種以上のものを適宜組合せて使用することも可能である。
【００１６】
本発明の導水シートは、図３，４に示す如く、路盤１上の透水シート２上に敷き均されたサンドクッション層３の上に敷かれ、その上に保水性ブロック４が敷設される中間層を構成するもので、この部分で上方から供給される水を吸収すると共に保水し、且つ、以下に詳述する如く、保水性ブロック４方向へ水を補給するための貯水層として機能する。
【００１７】
即ち図３、４に例示する吸水型保水性ブロック舗装に用いられている導水シート７は、図示する如く最下層に止水層７ａ、その上に吸水層７ｂ、更にその上に最上層として導水層７ｃを有する３層構造のシート状物であり、止水層７ａは、上方から供給されてくる水をその上面側に堰き止める機能を果たし、吸水層７ｂは堰き止められた水を吸収して保持する機能を果たす。また導水層７ｃは、当該導水シート７の上方から供給される水を当該シート７の吸水層７ｂ方向へ誘導する機能を果たすもので、この導水層７ｂは、その前後および／または左右の端縁が吸水層７ｃの外周縁よりも内側に位置する如く配置されている。
【００１８】
従って図示例の導水シート７によれば、保水性ブロック４の上方から雨や散水によって供給される水は、最上層の導水層７ｃを通して吸水層７ｂ方向へ流下し、止水層７ａで下方への漏洩を阻止されつつ吸水層７ｂに吸水され、その飽和吸水量に達するまでは該吸水層７ｂ内に吸水保持される。なお、吸水層７ｂ内の吸水量が飽和状態の達した後は、上方から浸透してくる水は止水層７ａに沿って水平方向へ流れ、その周縁部からサンドクッション層３方向へ流下していく。
【００１９】
図３は施工直後で、吸水層７ｂが未だ水を吸収していない状態を示しており、導水シート７における該吸水層７ｂの外周縁と保水性ブロック４の間には隙間Ｓができており、水はこの隙間Ｓからも吸水層７ｂの内側方向へ浸入していく。しかし、該吸水層７ｂが吸水して膨潤（体積膨張）すると、図４に示す如く前記隙間Ｓが塞がれて閉塞Ｍされるので、吸水層７ｂの外周縁側からの水の漏洩は阻止され、導水層７ｃを通して流下してくる水は、吸水層７ｂが飽和吸水量に達するまで該吸水層７ｂに吸水保持される。
【００２０】
一方、夏季の晴天時などで保水性ブロック４表層側が乾燥状態になったときは、上記吸水層７ｂに吸水保持された水が導水層７ｃを通して逐次保水性ブロック４方向へ供給され、保水性ブロック４を湿潤状態に保つ。そして、該保水性ブロック４からの水の継続的な蒸発による蒸発潜熱の吸収によってヒートアイランド現象を抑制する。
【００２１】
上記からも明らかな様に、本発明で使用する導水シート７は、上方から供給される水を吸水層７ｂで吸水保持し、必要時には保水性ブロック４方向へ水を補給する機能を有することが必要であり、そのためには、止水層７ａとして水の透過を阻止する非透過性の素材を使用することが望ましく、好ましくはポリ塩化ビニル、ポリ塩化ビニリデン、ポリエチレン・酢酸ビニル、ポリエチレン、ポリプロピレン、ポリエステルなどの合成樹脂フィルム；ニトリルゴム、クロロプレンゴム、ＥＰＤＭゴム、天然ゴムなどからなるシート；ポリエステル系樹脂、ポリエチレンやポリプロピレンなどのポリオレフィン系樹脂、アクリル系樹脂などからなる化学繊維の不織布や織・編地体などを使用することができる。これらの中でもポリエチレンフィルムやポリプロピレンフィルムは、止水層としての持続性が良好であるので好ましい。
【００２２】
また吸水層７ｂの構成素材は、上記の様に大量の水を吸収保持すると共に、必要時には逐次放出する機能を備えた素材を使用すべきであり、好ましくは自重の２倍以上の吸水倍率を有するアクリル酸塩、澱粉・アクリル酸塩共重合体、ポリビニルアルコール架橋物、スチレン・無水マレイン酸共重合体の塩、ビニルアルコール・無水マレイン酸塩、ポリアクリル酸・ポリビニルアルコール共重合体塩、イソブチレン・無水マレイン酸塩、高吸水性ウレタン、高分子量ポリエチレンオキサイド、ヒドロキシエチルセルロース、ポリＮ−ビニルカルボン酸アミド共重合体、ポリアクリルアミド共重合体などの高吸水性樹脂が、吸水層７ｂの一部もしくは全部として使用できる。
これらの高吸水性樹脂は、フィルム状、粉末状、顆粒状、繊維状など任意の形態で使用することができるが、導水シートとしての成形性や取扱性などにおいて最も好ましいのは繊維状のものである。該吸水層７ｂの飽和吸水量は、本発明が適用される保水性ブロック舗装に求められる吸水・給水能に応じて決めるべきもので一律に定めることはできないが、標準的には、吸水保持量で１００ｍ２当たり２００リットル程度以上を確保できるように、吸水性素材の種類や層厚を調整するのがよい。また導水層７ｃの構成素材は、吸水時および放水時に水の通過を許す透水性の素材であればよく、合成樹脂フィルムなどからなる孔空きシート、織編物やメッシュシート、更には不織布シートなどを使用すればよい。
【００２３】
なお上記において、吸水倍率および飽和吸水量とは、下記の方法で測定した値をいう。
【００２４】
［吸水倍率］
予め重量（Ｗ０）を測定したナイロン濾布（２００メッシュ）で試料を包み、２０℃の純水中に２４時間浸漬する。その後、遠心脱水機により３Ｇ×３０分間（Ｇは重力加速度）処理し、試料間の水分を除去してから試料の重量（Ｗ１）を測定する。次に、該試料を８０℃の真空乾燥機中で恒温になるまで乾燥してから重量（Ｗ２）を測定する。これらの測定結果から、下記式によって吸水倍率を測定する。
【００２５】
吸水倍率（倍）＝（Ｗ１−Ｗ２−Ｗ０）／（Ｗ２−Ｗ０）−１
［吸水層の吸水倍率と飽和吸水量の測定］
絶乾状態の試料の重量（Ｗ１）を測定し、次いで試料を２０℃の純水中に３０分間浸漬してから引き上げ、５分間垂直吊下げにより水切りした後、該試料の重量（Ｗ２）を測定する。これらの測定値から、「吸水倍率（倍）＝Ｗ２／Ｗ１−１」により吸水倍率を測定する。
【００２６】
上記吸水倍率の測定法で得た吸水倍率（Ｖ）を試料の単位面積当りの目付け量（Ｊ：ｇ／ｍ２）とを積算することにより、下記式によって保水量を算出する。
【００２７】
単位面積当りの飽和吸水量（Ｊ：ｇ／ｍ２）＝吸水倍率（Ｖ）×目付け量（ｇ／ｍ２）。
【００２８】
本発明の導水シート７においては、上記機能を有効に発揮させることの必要上、導水層７ｃを最上層とし、且つその前後および／または左右の端縁は、吸水層７ｂおよび／または止水層７ａの外周縁よりも内側に位置させておくことが必要である。因みに、導水層７ａが下層側にある場合は、前述した様な吸水層７ｂによる吸水・給水が円滑に行われず、また該導水層７ｃが吸水層７ｂおよび／または止水層７ａの外周縁よりも外側に位置している（即ち、外側にはみ出している）場合は、上方から当該はみ出した部分に供給される水を吸水層７ｂで捕捉できなくなるからである。
【００２９】
図５，６は、本発明の導水シート７を用いた他の実施例を示す吸水型保水性ブロック舗装体の概略断面説明図であり、図５は施工直後の状態、図６は導水シート７が水で満たされた状態を示している。本例でも、路盤１上の透水シート２上に敷き均されたサンドクッション層３の上に、本発明に係る積層構造の導水シート７が敷き延べられ、その上に保水性ブロック４が敷設されている。ここで使用されている導水シート７は、下層が止水層７ａで構成され、該止水層７ａ上に、周縁を取り囲むように吸水層７ｂが形成されると共に、その内側には導水層７ｃが形成されている。そして、該導水シート７の上に保水性ブロック４が敷設されており、図５では、保水性ブロック４と導水シート７に隙間Ｓができている状態を示している。
【００３０】
図６は、図５に示した構造の吸水型保水性ブロック舗装体における導水シート７に水が供給された時の状態を示しており、導水シート７の吸水層７ｃが吸水によって体積膨張し、保水性ブロック４と導水シート７との隙間Ｓが閉塞Ｍされた状態を示している。
【００３１】
この例では、外部から供給された水は、当該導水シート７の下層を構成する止水層７ａによって、サンドクッション層３方向へ漏洩することなく導水層７ｃから吸水層７ｂ方向へ流れるが、水は該吸水層７ｃで吸水保持されると共に、その外縁（前後および／または左右の端縁）では、該吸水層７ｂの給水による体積膨張によって前記隙間Ｓが閉塞Ｍされると、導水層７ｃに溜まった水はその周縁から漏洩することができず、膨張した吸水層７ｂにより周縁を塞がれた状態で導水層７ｃ内に溜められることになる。そして、乾燥時には、該導水層７ｃから保水性ブロック４方向へ逐次水が補給されることになる。即ち、本例の導水シート７でも、外部から供給された水は、サンドクッション層３方向へ漏洩することなく吸水層７ｃで保持され、乾燥時には保水性ブロック４方向へ補給されることになる。
【００３２】
図７，８は、本発明の導水シート７を用いた更に他の吸水型保水性ブロック舗装体を例示する概略断面説明図であり、図７は施工直後の状態、図８は導水シート７が水で満たされた状態を示している。本例でも、路盤１上の透水シート２上に敷き均されたサンドクッション層３の上に、本発明に係る積層構造の導水シート７が敷き延べられ、その上に保水性ブロック４が敷設されている。ここで用いる導水シート７は、下層が止水層７ａで構成され、該止水層７ａ上に中間層として吸水層７ｂが形成され、更にその上に導水層７ｃが形成されている。そして、該導水シート７の上に保水性ブロック４が敷設されており、保水性ブロック４と導水シート７に隙間Ｓができている状態を示している。
【００３３】
図示する如く本例では、導水層７ｃの前後および／または左右の端縁が、吸水層７ｂの外縁よりも内側に位置する様にやや小さめに形成されており、施工当初はこの隙間からも導水層７ｃ方向へ水が浸入する。
【００３４】
図８は、図７に示した構造の吸水型保水性ブロック舗装体における導水シート７に水が供給された時の状態を示しており、導水シート７の吸水層７ｂが吸水によって体積膨張し、保水性ブロック４と導水シート７との隙間Ｓが閉塞Ｍされた状態を示している。
【００３５】
この例でも、外部から供給された水は、当該導水シート７の下層を構成する止水層７ａによって、サンドクッション層３方向への漏洩を生じることなく導水層７ｃから吸水層７ｂ方向へ流れて吸水保持される。そして施工当初、吸水層７ｂの前後および／または左右の端縁は吸水膨潤しておらず、吸水層７ｂと保水性ブロック４との間には隙間Ｓがあり、上方からの水はこの隙間Ｓからも吸水層７ｂ方向へ侵入する。そして該吸水層７ｂの外縁で吸水が進むと、図示する如く吸水層７ｂが給水により膨潤して前記隙間Ｓが閉塞Ｍされ、シート７の中央部側へ供給される水は当該中央部の吸水層７ｂに吸水保持される。即ち、本例の導水シートでも、外部から供給された水は、サンドクッション層３方向へ漏洩することなく吸水層７ｂで保持され、必要時には、保水性ブロック４方向へ水を安定して補給することが可能となる。
【００３６】
図９，１０は、本発明の導水シート７を用いた更に他の吸水型保水性ブロック舗装体を例示する概略断面説明図であり、図９は施工直後の状態、図１０は、導水シート７が水で満たされた状態を示している。本例で使用されている導水シート７は、下層が吸水層７ｂで構成され、該吸水層７ｂ上にその前後および／または左右の端縁を残して内側に中間層として止水層７ａが形成され、更にその上に導水層７ｃが形成されている。
【００３７】
なお止水層７ａと導水層７ｃのサイズは、吸水層７ｂのサイズよりもやや小さめに形成されており、即ち止水層７ａと導水層７ｃの前後および／または左右の端縁は、吸水層７ｂの外縁よりも内側に位置している。そして、該導水シート７の上に保水性ブロック４が敷設されており、図９では、保水性ブロック４と導水シート７に隙間Ｓが生じている状態を示している。
【００３８】
図１０は、図９に示した構造の吸水型保水性ブロック舗装体における導水シート７に水が供給された時の状態を示しており、導水シート７の吸水層７ｂが吸水により体積膨張し、保水性ブロック４と導水シート７との隙間が塞がれた状態を示している。
【００３９】
この例では、外部から供給された水は、当該導水シート７の下層を構成する吸水層７ｂが吸水し膨潤することによって形成される膨潤層によって保持され、且つ必要時には導水層７ｃから保水性ブロック４方向へ逐次補給される。また、吸水層７ｂの前後および／または左右端縁は、吸水により膨潤して前掲の隙間Ｓを塞ぐので、内側の導水層７ｃに溜まった水が側方へ漏れ出ることはない。
【００４０】
図１１，１２は、前記図９，１０の変形例であり、導水性シート７として、下層を前後および／または左右に分割された吸水層７ｂで構成し、中間層は該吸水層７ｂよりも平面的に内側に配置された止水層７ａ、上層も吸水層７ｂよりも平面的に内側に配置された導水層７ｃで構成したもので、この場合も、施工直後の状態では保水性ブロック４と導水シート７に隙間Ｓが生じているが、外部から水が供給されると、導水シート７の吸水層７ｂが吸水して膨潤することにより隙間Ｓを塞ぎ、側面方向への水の漏洩を防止しつつ、且つ必要時には水を保水性ブロック４方向へ長期的に安定して給水する。
【００４１】
図１３，１４は、本発明の更に他の実施例に係る導水シートを用いた吸水型保水性ブロック舗装体を例示する概略断面説明図であり、本例で用いている導水シート７は、下層を吸水層７ｂで構成し、上層を導水層７ｃで構成したもので、前記図示例における止水層７ａを省略した２層構造のものを示している。本例でも、下層として形成した吸水層７ｂは、上方や側方から供給されてくる水を吸収して著しく膨張するため止水層としての機能も果たし、水は該吸水層７ｂで止水されると共に吸水保持される。そして保水性ブロック４が水分不足になると、導水層７ｃを通して逐次該ブロック４方向への給水が行われる。
【００４２】
図１５は、保水性ブロック４と本発明に係る導水シート７との隙間Ｓからの水の漏洩が防止される機構を説明するための拡大断面説明図である。通常の保水性ブロック４の底面には少なからず凹凸があるため、本発明の如く少なくとも給水層７ｂと導水層７ｃを有する導水シート７をサンドクッション層３と保水性ブロック４の間に介装しておくと、上方から導水層７ｃを通して水が供給されてきたときに、当該導水シート７の吸水層７ｂを構成する吸水性樹脂が膨潤して当該導水シート７の前後および／または左右の端縁から張り出し、保水性ブロック４底面の凹凸に食い込むことにより導水層７ｃからの水の漏洩を阻止する。図中の鎖線は、施工当初の吸水層７ｂが膨潤する前の状態を示している。
【００４３】
この場合、導水層７ｃから張り出した吸水層７ｂの張り出し幅Ｌと張り出し高さＨが重要となる。一般に使用される保水性ブロック４を構成する骨材の寸法は１０〜１３ｍｍ程度であるから、こうした骨材寸法に適合させ、吸水層７ｂの吸水膨潤によって外縁を確実に閉塞するには、該張り出し幅Ｌと張り出し高さＨを何れも骨材寸法の約３倍以上、好ましくは約３０ｍｍ程度以上、より好ましくは約１００ｍｍ程度以上にすることが望ましい。
【００４４】
【発明の効果】
本発明は以上の様に構成されており、吸水型保水性ブロック舗装の導水シートとして使用することで、外部から供給される水をサンドクッション層や地盤方向へ漏洩させることなく効率よく保水し、晴天時には長期間かつ持続的に保水ブロック方向へ給水することができ、ヒートアイランド現象をより効果的に抑制することができる。
【図面の簡単な説明】
【図１】従来の保水性ブロック舗装構造を示す概略断面説明図である。
【図２】従来の保水性ブロック舗装構造を示す概略断面説明図である。
【図３】本発明の導水シートを用いた吸水型保水性ブロック舗装体の施工当初の状態を例示する概略断面説明図である。
【図４】本発明の導水シートを用いた吸水型保水性ブロック舗装体の給水後の状態を例示する概略断面説明図である。
【図５】本発明の他の導水シートを用いた吸水型保水性ブロック舗装体の施工当初の状態を例示する概略断面説明図である。
【図６】本発明の他の導水シートを用いた吸水型保水性ブロック舗装体の給水後の状態を例示する概略断面説明図である。
【図７】本発明の更に他の導水シートを用いた吸水型保水性ブロック舗装体の施工当初の状態を例示する概略断面説明図である。
【図８】本発明の更に他の導水シートを用いた吸水型保水性ブロック舗装体の給水後の状態を例示する概略断面説明図である。
【図９】本発明の更に他の導水シートを用いた吸水型保水性ブロック舗装体の施工当初の状態を例示する概略断面説明図である。
【図１０】本発明の更に他の導水シートを用いた吸水型保水性ブロック舗装体の給水後の状態を例示する概略断面説明図である。
【図１１】本発明の更に他の導水シートを用いた吸水型保水性ブロック舗装体の施工当初の状態を例示する概略断面説明図である。
【図１２】本発明の更に他の導水シートを用いた吸水型保水性ブロック舗装体の給水後の状態を例示する概略断面説明図である。
【図１３】本発明の更に他の導水シートを用いた吸水型保水性ブロック舗装体の施工当初の状態を例示する概略断面説明図である。
【図１４】本発明の更に他の導水シートを用いた吸水型保水性ブロック舗装体の給水後の状態を例示する概略断面説明図である。
【図１５】本発明に係る吸水型保水性ブロック舗装用導水シートにおける水の漏洩阻止機構を例示する断面説明図である。
【符号の説明】
１  路盤
２  透水シート
３  サンドクッション層
４  保水性ブロック
５  導水用シート
７  導水シート
７ａ  止水層
７ｂ  吸水層
７ｃ  導水層
Ｌ  吸水層の導水層からの張り出し幅
Ｈ  吸水層の導水層からの張り出し高さ
【図１】
2004225311.tif 000003
【図２】
2004225311.tif 000004
【図３】
2004225311.tif 000005
【図４】
2004225311.tif 000006
【図５】
2004225311.tif 000007
【図６】
2004225311.tif 000008
【図７】
2004225311.tif 000009
【図８】
2004225311.tif 000010
【図９】
2004225311.tif 000011
【図１０】
2004225311.tif 000012
【図１１】
2004225311.tif 000013
【図１２】
2004225311.tif 000014
【図１３】
2004225311.tif 000015
【図１４】
2004225311.tif 000016
【図１５】
2004225311.tif 000017